(57)【特許請求の範囲】
【請求項１】
複数の照明装置と、
１つ又は複数の照明装置からなる制御単位を示す制御単位のイメージ及び少なくとも１つ以上の仮想フェーダのイメージを表示する表示部と、
前記表示部に表示された前記仮想フェーダに前記制御単位を使用者による操作で割り当て可能な割当操作部と、
前記割当操作部によって割り当てられた割当情報を記憶する記憶部と、
前記仮想フェーダのイメージを前記表示部上で操作することで該仮想フェーダのイメージに割り当てられた制御単位の照明装置の光出力を制御する制御部とを備え、
前記仮想フェーダに対応するとともに前記制御単位の照明装置の光出力を操作可能なハードウェア操作部を備えたことを特徴とする調光システム。
【請求項２】
複数の照明装置と、
１つ又は複数の照明装置からなる制御単位を示す制御単位のイメージ及び少なくとも１つ以上の仮想フェーダのイメージを表示する表示部と、
前記表示部に表示された前記仮想フェーダに前記制御単位を使用者による操作で割り当て可能な割当操作部と、
前記割当操作部によって割り当てられた割当情報を記憶する記憶部と、
前記仮想フェーダのイメージを前記表示部上で操作することで該仮想フェーダのイメージに割り当てられた制御単位の照明装置の光出力を制御する制御部とを備え、
前記記憶部には、前記仮想フェーダの１つに対して異なる制御単位の割当情報が複数記憶されるものであり、
前記記憶部内に記憶された割当情報を他の割当情報に切替可能な切替部を備えたことを特徴とする調光システム。
【請求項３】
請求項１又は２に記載の調光システムにおいて、
前記表示部及び前記割当操作部は、タッチパネルであることを特徴とする調光システム。
【請求項４】
請求項１又は２に記載の調光システムにおいて、
前記割当操作部は、マウスであることを特徴とする調光システム。
【発明の詳細な説明】
【技術分野】
【０００１】
本発明は、照明装置の明るさを制御する調光システムに関するものである。
【背景技術】
【０００２】
従来、舞台等の調光システムでは、使用者が操作可能な調光卓（操作器）を備え、この操作器に複数備えられるフェーダやウィールといったハードウェア操作部を操作することで特定の照明装置の明るさを制御できるようになっている（例えば、特許文献１参照）。
【０００３】
また、調光卓に備えられるハードウェア操作部は、調光レベルの制御単位であるチャンネルの数よりも少なく、有限であるハードウェア操作部にチャンネルを割り当てることとなる。ここで、チャンネルのハードウェア操作部への割当方法としては、ハードウェア操作部の数に応じて先頭の数チャンネルのみ割り当てる固定方式やハードウェア操作部の個数単位でチャンネル範囲を割り当てる範囲方式などがある。
【先行技術文献】
【特許文献】
【０００４】
【特許文献１】特開２００４−１２７７２２号公報
【発明の概要】
【発明が解決しようとする課題】
【０００５】
ところで、上記のような調光システムでは、調光レベルの制御単位であるチャンネル数に対してハードウェア操作部の数が少ないため、ハードウェア操作部に割り当てるチャンネルの割り当てが柔軟に行うことが難しい。このため、利便性の面で改善の余地が残されている。
【０００６】
本発明は、上記課題を解決するためになされたものであって、その目的は、利便性を向上させることができる調光システムを提供することにある。
【課題を解決するための手段】
【０００７】
上記課題を解決するために、本発明の調光システムは、複数の照明装置と、１つ又は複数の照明装置からなる制御単位を示す制御単位のイメージ及び少なくとも１つ以上の仮想フェーダのイメージを表示する表示部と、前記表示部に表示された前記仮想フェーダに前記制御単位を使用者による操作で割り当て可能な割当操作部と、前記割当操作部によって割り当てられた割当情報を記憶する記憶部と、前記仮想フェーダのイメージを前記表示部上で操作することで該仮想フェーダのイメージに割り当てられた制御単位の照明装置の光出力を制御する制御部とを備え、前記仮想フェーダに対応するとともに前記制御単位の照明装置の光出力を操作可能なハードウェア操作部を備えたことを特徴とする。
【０００８】
また、本発明の調光システムは、複数の照明装置と、１つ又は複数の照明装置からなる制御単位を示す制御単位のイメージ及び少なくとも１つ以上の仮想フェーダのイメージを表示する表示部と、前記表示部に表示された前記仮想フェーダに前記制御単位を使用者による操作で割り当て可能な割当操作部と、前記割当操作部によって割り当てられた割当情報を記憶する記憶部と、前記仮想フェーダのイメージを前記表示部上で操作することで該仮想フェーダのイメージに割り当てられた制御単位の照明装置の光出力を制御する制御部とを備え、前記記憶部には、前記仮想フェーダの１つに対して異なる制御単位の割当情報が複数記憶されるものであり、前記記憶部内に記憶された割当情報を他の割当情報に切替可能な切替部を備えたことを特徴とする。
【０００９】
また、上記構成において、表示部及び割当操作部は、タッチパネルであることが好ましい。
また、上記構成において、割当操作部は、マウスであることが好ましい。
【発明の効果】
【００１０】
本発明によれば、利便性を向上させることができる調光システムを提供することができる。
【図面の簡単な説明】
【００１１】
【図１】本実施形態の調光システムに備えられる調光操作器の概略構成図である。
【図２】本実施形態の調光システムの概略構成図である。
【図３】調光システムのチャンネルと操作部の割り当て方法について説明するためのフローチャートである。
【図４】（ａ）（ｂ）は、割り当て方法について説明するための説明図である。
【図５】別例の調光システムに備えられる調光操作器の概略構成図である。
【発明を実施するための形態】
【００１２】
以下、本発明を具体化した一実施形態を図面に従って説明する。
図１及び図２に示すように、本実施形態の調光システムは、複数の照明装置１１と、調光操作器１２とを備える。
【００１３】
調光操作器１２は、フェーダ２１と、タッチパネル２２と、フェーダ２１及びタッチパネル２２に応じて照明装置１１の調光を行う制御部２３と、各照明装置１１のチャンネルとフェーダ２１及びタッチパネル２２との割り当て情報が記憶される記憶部２４とを備える。
【００１４】
フェーダ２１は、対応する照明装置１１の調光レベルを操作するものであり、本実施形態では４つの物理フェーダ２１ａ〜２１ｄを備えている。
タッチパネル２２には、その表示画面上に仮想フェーダ３１ａ〜３１ｄと、前記複数の照明装置１１に対応する制御チャンネルボタン３２とが表示されるようになっている。また、前記制御チャンネルボタン３２は、１つ又は複数の照明装置１１でなる制御単位を示すチャンネルの個数と同数個（ｎ個）表示されるようになっている。具体的には、「ＣＨ１」、「ＣＨ２」、「ＣＨ３」、…、「ＣＨ５１」、「ＣＨ５２」、「ＣＨ５３」、…、「ＣＨｎ−２」、「ＣＨｎ−１」及び「ＣＨｎ」のｎ個のボタンが制御チャンネルボタン３２としてタッチパネル２２上に表示される。この制御チャンネルボタン３２は、タッチパネル２２上においてドラッグアンドドロップ操作が可能となっている。このドラッグアンドドロップ操作によって制御チャンネルを任意の仮想フェーダ３１ａ〜３１ｄに割り当てることが可能となっている。
【００１５】
次に、本実施形態の調光システムに備えられる調光操作器１２における制御チャンネルの割り当て方法について説明する。
図４（ａ）に示すように、「ＣＨｎ−２」のチャンネルボタン３２を例えば仮想フェーダ３１ｄにドラッグアンドドロップ操作する。同様に、「ＣＨｎ−１」のチャンネルボタン３２を例えば仮想フェーダ３１ｄにドラッグアンドドロップ操作する。更に、「ＣＨｎ」のチャンネルボタン３２を例えば仮想フェーダ３１ｄにドラッグアンドドロップ操作する。すると、制御部２３では、前述の操作に基づいて「ＣＨｎ−２」、「ＣＨｎ−１」及び「ＣＨｎ」に対応する制御チャンネル（制御単位）を仮想フェーダ３１ｄに対応付けて記憶部２４に記憶させる。これによって、仮想フェーダ３１ｄを操作することで、「ＣＨｎ−２」、「ＣＨｎ−１」及び「ＣＨｎ」に対応する制御チャンネルの照明装置１１の調光レベルを調整可能となる。
【００１６】
次に、本実施形態の調光システムの動作例（作用）について説明する。
図２及び図３に示すように、制御部２３は、操作器１２及びシステムの電源がオンされると表示部を構成するタッチパネル２２上にフェーダのイメージを仮想フェーダ３１ａ〜３１ｄとして表示する（ステップＳ１０）。このとき、制御部２３は、タッチパネル２２上には制御チャンネルボタン３２も表示させる。
【００１７】
ここで、前述したように、操作器１２は、例えば使用者がタッチパネル２２上の制御チャンネルボタン３２を指等で押圧した状態で、タッチパネル２２上で指を動かすことで制御チャンネルボタン３２が追従するようになっている（ドラッグ操作）。そして、使用者が指等をタッチパネル２２から離間させると離間させた位置又は初期位置で制御チャンネルボタン３２ドロップが表示される（ドロップ操作）。このとき、例えば任意の制御チャンネルボタン３２を任意の仮想フェーダ３１ａ〜３１ｄまでドラッグアンドドロップ操作すると、制御部２３は、その仮想フェーダ３１ａ〜３１ｄに制御チャンネルボタン３２に対応する照明装置１１を割り当てる（ステップＳ２０）。このとき、仮想フェーダ３１ａ〜３１ｄにチャンネルを割り当てる割り当て操作を行うことで、その仮想フェーダ３１ａ〜３１ｄに対応する各フェーダ（各物理フェーダ）２１ａ〜２１ｄによっても操作が可能となる。
【００１８】
そして、制御部２３は、その割り当てた情報（割当情報）を記憶部２４に記憶させる（ステップＳ３０）。
そして、例えばタッチパネル２２上の仮想フェーダ３１ａ〜３１ｄが操作されると（ステップＳ４０：ＹＥＳ）、制御部２３は、操作された仮想フェーダ３１ａ〜３１ｄに割り当てられたチャンネルの照明装置１１の調光レベルを制御する（ステップＳ５０）。
【００１９】
また、タッチパネル２２上の仮想フェーダ３１ａ〜３１ｄは操作されず（ステップＳ４０：ＮＯ）、フェーダ２１操作されると（ステップＳ６０：ＹＥＳ）、フェーダ２１に対応する仮想フェーダ３１ａ〜３１ｄに割り当てられたチャンネルの照明装置１１の調光レベルを制御する（ステップＳ７０）。
【００２０】
前記ステップＳ５０後又は前記ステップＳ７０後、制御部２３は、ステップＳ４０から繰り返す。
次に、本実施形態の特徴的な効果を記載する。
【００２１】
（１）複数の照明装置１１と、１つ又は複数の照明装置１１からなる制御単位（チャンネル）を示す制御単位のイメージである制御チャンネルボタン３２及び仮想フェーダ３１ａ〜３１ｄのイメージを表示するタッチパネル２２を有する調光操作器１２を備える。調光操作器１２は、タッチパネル２２に表示された仮想フェーダ３１ａ〜３１ｄにチャンネルを使用者による操作で割り当て可能な割当部を構成する制御部２３と、制御部２３によって割り当てられた割当情報を記憶する記憶部２４とを備える、また、制御部２３は、仮想フェーダ３１ａ〜３１ｄのイメージをタッチパネル２２上で操作することで仮想フェーダ３１ａ〜３１ｄのイメージに割り当てられたチャンネルの照明装置１１の光出力を制御する。このような構成とすることで、タッチパネル２２上で仮想フェーダ３１ａ〜３１ｄにチャンネルを容易に割り当てることができ、利便性の向上を図ることができる。また、タッチパネル２２上に表示される仮想フェーダ３１ａ〜３１ｄとすることで、有限個となる物理フェーダ２１ａ〜２１ｄよりも容易に増やすことが可能となるため、より柔軟に仮想フェーダ３１ａ〜３１ｄに対してチャンネルを割り当てることができる。
【００２２】
（２）仮想フェーダ３１ａ〜３１ｄに対応するとともに前記チャンネルの出力レベルを操作可能なハードウェア操作部としてのフェーダ２１を備える。このため、使用者の好みによってタッチパネル２２上の仮想フェーダ３１ａ〜３１ｄ上を操作したり、物理フェーダ２１を操作したりできる。
【００２３】
（３）表示部及び割当操作部は、タッチパネル２２であるため、部品点数を抑えることが可能となる。また、タッチパネル２２を採用することで直感的な操作を使用者に提供することが可能となる。
【００２４】
尚、本発明の実施形態は、以下のように変更してもよい。
・上記実施形態では、特に言及していないが、１つの仮想フェーダ３１ａ〜３１ｄに対してパターンの異なる制御チャンネルの割当情報を少なくとも２つ、記憶部２４に記憶させて切り替え可能な構成としてもよい。具体的には、前述した図４（ａ）の割り当て方法による割当情報（割当情報Ａとする）に加えて、例えば図４（ｂ）に示す割り当て方法による割当情報（割当情報Ｂとする）を記憶部２４に記憶させる。そして、記憶部２４に記憶された割当情報をタッチパネル２２上に表示される切り替えボタン（図示略）が使用者によって押圧される度に切替部としての制御部２３によって割当情報Ａと割当情報Ｂとが切り替えられる。これによって、仮想フェーダ３１ｄの操作によって操作可能な制御チャンネルを切り替える。このような構成とすることで、同じ仮想フェーダ３１ａ〜３１ｄに対して複数の割当情報を割り当てることができ、より柔軟且つ細かく各照明装置１１の調光を行うことができる。
【００２５】
・上記実施形態では、特に言及していないが、例えば前記ドラッグアンドドロップ操作を行って常に制御チャンネルと仮想フェーダとの割当を変更可能な構成としてもよい。
・上記実施形態では、表示部と割当操作部とが一体となったタッチパネル２２を採用したが、これに限らない。例えば、図５に示すように、液晶ディスプレイなどで構成される表示部４２と、マウスなどで構成される操作部４１とで構成してもよい。また、操作部４１をタッチパッドなどで構成してもよい。
【００２６】
・上記実施形態では、特に言及していないが、タッチパネル２２上に仮想フェーダのイメージを全て表示するか否かは特に問わない。例えば、タッチパネル２２上に例えば画面の表示切替が可能なボタンを表示させ、そのボタンを押圧操作することで、違うチャンネルが割り当てられた仮想フェーダを表示させる構成としてもよい。また、タッチパネル２２を操作して表示画面をスクロール操作することで、仮想フェーダの表示の切り替えが可能な構成を採用してもよい。
【符号の説明】
【００２７】
１１…照明装置、２１、２１ａ〜２１ｄ…フェーダ（ハードウェア操作部）、２２…表示部及び割当操作部を構成するタッチパネル、２３…制御部、２４…記憶部、３１ａ〜３１ｄ…仮想フェーダ、４１…割当操作部としての操作部、４２…表示部、Ａ，Ｂ…割当情報。
【図１】
0005838334.tif 000002
【図２】
0005838334.tif 000003
【図３】
0005838334.tif 000004
【図４】
0005838334.tif 000005
【図５】
0005838334.tif 000006